(57)【要約】【課題】理美容師が片手で頭部を支えて髪を切ることに適した理美容鋏を提供する。【解決手段】理美容鋏１は、一端側に指孔部３を設けると共に他端側に刃体４を設けた一対の鋏部材２，２Ａを備え、刃体４は幅方向内側に刃部５を有すると共に幅方向外側に峰部６を有し、一対の鋏部材２，２Ａを交差させると共に交差部７を枢着する。峰部６に峰側係止部１５を設けると共に峰側係止部１５に着脱自在に係止する係止溝１７を櫛部材１１に設け、櫛部材１１に複数の突起部２２を設けたから、片手で鋏１を持ち、突起部２２により髪をすくと共に起こし、一対の刃体４，４を開閉して髪を切ることができる。また、刃体４から櫛部材１１を取り外して別々で洗浄することができ、衛生的に使用できる。【選択図】図２
2017080233.tif 000002
【特許請求の範囲】
【請求項１】
一端側に指孔部を設けると共に他端側に刃体を設けた一対の鋏部材を備え、前記刃体は幅方向内側に刃部を有すると共に幅方向外側に峰部を有し、前記一対の鋏部材を交差させると共に交差部を枢着した理美容鋏において、前記峰部に峰側係止部を設けると共に前記峰側係止部に着脱自在に係止する櫛側係止部を櫛部材に設け、前記櫛部材に複数の櫛刃部を設けたことを特徴とする理美容鋏。
【請求項２】
前記櫛部材は取付体を備え、前記取付体は、前記刃体と交差方向に設けられと共に前記櫛側係止部が基端側に設けられ、前記取付体に前記複数の櫛刃部を突設したことを特徴とする請求項１記載の理美容鋏。
【請求項３】
前記取付体の先端縁部は、長さ方向中央側が凹んだ湾曲状に形成されていることを特徴とする請求項２記載の理美容鋏。
【発明の詳細な説明】
【技術分野】
【０００１】
本発明は、理美容鋏に関する。
【背景技術】
【０００２】
現在、訪問理美容サービスの利用者は、自律の人、車椅子の人、ベッドに寝た人の三つに大きく分類され、この中でもベッドに寝た人は、ヘアカットの際、家族や介護職員の介助が必要な場合がある。
【０００３】
具体的に、ベッドに寝た人に対しては、理美容師が固まった首や頭部を左右、上下に動かし、一方の手に鋏、他方の手に櫛を持って作業が行われており、利用者，理容師，美容師，家族，介護職員などにとって大きな負担となり、理美容師の腱鞘炎や腰痛の原因にも繋がっている。
【０００４】
また、ベッドに寝た人の場合、縦型のバリカンを使用することが多く、バリカンの構造上からも使い難く、バリカンの刃に熱を持ち、毛詰まりを起こすなどの問題がある。さらに、衛生面でも、バリカンは、手軽に消毒洗浄できる鋏とは違って１回毎に消毒することが現実的に難しく、故障の虞もあり、使用に不向きであった。
【０００５】
ところで、櫛と鋏を持ち代える手間を省くため、鋏と櫛とを組み合わせたものとして、はさみの軸に櫛を回動自在に連結し、はさみを閉じた状態において指穴同士の離隔に櫛の保持部の幅を近似させ、櫛の歯が並ぶ歯元部より指添接部材を突き出して形成したはさみ（例えば特許文献１）や、一側に刃部が形成され、他側に握り部を有する長刃体と、前記長刃体の下方に組み合せ配置され長刃体と同様に一側に刃部が、また他側に握り部を有する短刃体とをそれぞれに設けた貫通孔を介して枢軸ピンにより枢支され、一端が前記枢軸ピンに枢支された櫛を旋回自在に配設した理容用多機能鋏（例えば特許文献２）が提案されている。
【先行技術文献】
【特許文献】
【０００６】
【特許文献１】特開２００６−１６７４１０号公報
【特許文献２】実用新案登録第３０５２１８８号公報
【発明の概要】
【０００７】
上記従来技術の鋏では、通常のヘアカットにおいて、櫛と鋏を持ち代える手間を省くことができるが、依然として、ベッドに寝た人の頭部を一方の手で支え、他方の手で鋏を持ってカットを行うには不便であった。
【発明が解決しようとする課題】
【０００８】
本発明は、理美容師が片手で頭部を支えて髪を切ることに適した理美容鋏を提供することを目的とする。
【課題を解決するための手段】
【０００９】
請求項１の理美容鋏は、一端側に指孔部を設けると共に他端側に刃体を設けた一対の鋏部材を備え、前記刃体は幅方向内側に刃部を有すると共に幅方向外側に峰部を有し、前記一対の鋏部材を交差させると共に交差部を枢着した理美容鋏において、前記峰部に峰側係止部を設けると共に前記峰側係止部に着脱自在に係止する櫛側係止部を櫛部材に設け、前記櫛部材に複数の櫛刃部を設けたことを特徴とする。
【００１０】
請求項２の理美容鋏は、前記櫛部材は取付体を備え、前記取付体は、前記刃体と交差方向に設けられと共に前記櫛側係止部が基端側に設けられ、前記取付体に前記複数の櫛刃部を突設したことを特徴とする。
【００１１】
請求項３の理美容鋏は、前記取付体の先端縁部は、長さ方向中央側が凹んだ湾曲状に形成されていることを特徴とする。
【発明の効果】
【００１２】
請求項１の構成によれば、片手で鋏を持ち、櫛刃部により髪をすくと共に起こし、一対の刃体を開閉して髪を切ることができる。また、刃体から櫛部材を取り外して別々で洗浄することができ、衛生的に使用できる。
【００１３】
請求項２の構成によれば、取付体の先端側を頭部に沿わせることにより、頭部と刃体との間隔を略一定に保持することができ、取付体の突出した複数の櫛刃部により髪をすいたり起こしたりすることができる。
【００１４】
請求項３の構成によれば、頭部に先端縁部をスムーズに添わせることができると共に、頭部に沿っての移動も容易となる。
【図面の簡単な説明】
【００１５】
【図１】本発明の実施例１を示す櫛部材を取り付けた理美容鋏の正面図である。
【図２】同上、理美容鋏の正面図である。
【図３】同上、刃部に取り付けた櫛部材の平面図である。
【図４】同上、図３のＡ−Ａ線断面図である。
【図５】同上、櫛部材を取り付けた刃体の斜視図である。
【図６】本発明の実施例２を示す要部の断面図である。
【図７】本発明の実施例３を示す櫛部材を取り付けた刃体の断面図である。
【図８】本発明の実施例４を示す櫛部材と刃体の斜視図である。
【図９】同上、櫛部材を取り付けた刃体の断面図である。
【図１０】本発明の実施例５を示す櫛部材と刃体の斜視図である。
【図１１】本発明の実施例６を示す櫛部材と刃体の斜視図である。
【図１２】本発明の実施例７を示す櫛部材と刃体の斜視図である。
【図１３】本発明の実施例８を示す櫛部材と刃体の斜視図である。
【図１４】同上、櫛部材を取り付けた刃体の断面図である。
【図１５】本発明の実施例９を示す櫛部材を取り付けた刃体の断面図である。
【発明を実施するための形態】
【００１６】
本発明における好適な実施例について、添付図面を参照して説明する。
【実施例１】
【００１７】
まず、本発明の実施例１として、図１〜図５に示す理美容鋏１について説明する。同図に示すように、理美容鋏１は、一対の鋏部材２，２Ａを備え、これら一対の鋏部材２，２Ａは、一端側に指孔部３，３を設けると共に他端側に刃体４，４を設けている。帯板状の前記刃体４，４は内側に刃部５，５を有すると共に外側に峰部６，６を有し、前記一対の刃体４，４を交差させると共に交差部７を枢着し、一端側の指孔部３，３側を開閉操作することにより他端側の刃体４，４が開閉する。そして、対をなす刃体４，４の一方である鋏部材２の刃体４が動刃であり、他方である鋏部材２Ａの刃体４が静刃であり、静刃を備えた鋏部材２Ａには２つの指孔部３が設けられている。
【００１８】
前記一対の鋏部材２，２Ａの一方には、櫛部材１１が着脱自在に取り付けられる。この例では動刃である鋏部材２の刃体４に櫛部材１１を着脱部材に設けている。前記櫛部材１１は、略平板状で略長方形形状の取付体１２を備え、この取付体１２が着脱構造１３により前記刃体４の峰部６に着脱自在に設けられ、取付状態で取付体１２は、刃体４と交差方向で刃体４の外面４Ｇ側から突設されている。尚、取付体１２は鋏１の刃体４，４と頭部との間のスペーサとして機能し、取付体１２には、複数の櫛刃部である突起部２２が設けられている。
【００１９】
図４及び図５に示すように、前記峰部６には、刃体４の外面４Ｇ側に抜け止め部たる抜け止め突起１４を突設し、この抜け止め突起１４を形成した峰部６により峰側係止部１５を構成している。前記抜け止め突起１４は峰部６の長さ方向に連続し、直線状又は一定曲率の湾曲状に形成され、また、抜け止め突起１４を設けた峰部６も、着脱可能なように同じく直線状又は一定曲率の湾曲状に形成されている。この例では、峰側係止部１５を直線状に形成し、刃体４，４を閉めた状態で、櫛部材１１の取付体基端部１６に他方の刃体４が当たらないように、一方の刃体４の幅を大きく形成している。尚、刃体４の内面４Ｎ側に抜け止め部たる抜け止め突起１４を突設してもよい。
【００２０】
前記取付体１２の本体１２Ａの厚さＴは平均で略５ｍｍ程度であり、その本体１２Ａの基端側に、断面が略円形の取付体基端部１６を形成し、この取付体基端部１６の直径は、前記厚さＴより大きく、略７ｍｍ程度であり、この取付体基端部１６に、前記係止部１５に長さ方向から係止する櫛側係止部たる係止溝１７を設け、この係止溝１７は取付体１２の上面側が開口している。そして、取付体１２は、本体１２Ａと取付体基端部１６とを一体に備える。
【００２１】
鋏１に櫛部材１１を着脱する際は、前記峰部６の先端に係止溝１７を合わせ、刃体４に対して、取付体１２を指孔部３側にスライドすることにより、係止溝１７に峰側係止部１５が係入され、一方、逆方向に取付体１２をスライドすることにより係止溝１７から峰側係止部１５を引き抜くことができ、このように峰部６に取付体１２が着脱自在に設けられる。尚、前記峰側係止部１５と係止溝１７により前記着脱構造１３を構成している。また、櫛部材１１は、合成樹脂やアルミニウム合金などからなる。あるいは取付体１２を木製とし、櫛刃部にブラシの毛を用いてもよい。
【００２２】
図３などに示すように、取付体１２の先端側の先端縁部１８には、刃体４の長さ方向中央が湾曲状に凹んだ湾曲凹部１９が形成されていると共に、湾曲凹部１９の長さ方向両側には凸状湾曲部２０，２０が形成され、両側の凸状湾曲部２０，２０が取付体１２の長さ方向両側の縁部２１，２１に連結されている。また、図４などに示すように、先端縁部１８及び縁部２１，２１は断面が湾曲面状に形成されている。
【００２３】
前記取付体１２の長さは略６５ｍｍ程度であり、取付体１２の最大幅は３０〜３５ｍｍ程度であり、一例として最大幅が３０ｍｍの場合、基端側から幅方向に２ｍｍ、６ｍｍ、９ｍｍ、１３ｍｍ、１６ｍｍ、２０ｍｍ、２３ｍｍの位置にそれぞれ高さが１．０ｍｍ、１．０ｍｍ、１．０ｍｍ、１．０ｍｍ、１．３ｍｍ、１．３ｍｍ、１．５ｍｍの第１〜第７の突起部２２・・・を取付体１２の本体１２Ａの内面に突設すると共に、複数の突起部２２・・・を取付体１２の長さ方向に略一定間隔で突設し、このように突起部２２・・・は取付体１２の基端側より先端側が高くなるように形成されている。尚、突起部２２が櫛刃部であり、この突起部２２は円柱状で先端が半球状に形成されており、或いは突起部２２は先端側に向かって僅かに縮径する形状にしてもよい。また、取付体１２の内面（使用状態の上面）は刃部５側の面である。さらに、取付体１２の幅は３０ｍｍ以外でも、３５ｍｍ、２０ｍｍ、１０ｍｍなどを用いることができ、いずれの寸法の取付体１２にも、突起部２２を長さ方向と幅方向に複数並んで配置する。また、取付体１２の長さは刃体４の長さにより適宜選定できる。尚、突起部２２は、取付体１２を取付ける刃体４が閉まる方向で刃体４と略並行に突設されている。また、取付体１２は、その幅寸法がその厚さ寸法より大きく、好ましくは、その厚さ寸法よりその長さ寸法が大きい。
【００２４】
また、取付体１２には複数の透孔２３，２３Ａが穿設され、この例では第３の突起部２２の位置と第５の突起部２２の位置に、取付体１２の長さ方向に長い透孔２３，２３Ａを穿設し、これら透孔２３，２３Ａは長さ方向にずれた位置に設けられている。そして、それら２つの透孔２３，２３Ａと湾曲凹部１９の箇所には突起部２２は設けられておらず、鋏１でカットした髪の毛を透孔２３，２３Ａから取付体１２の外面側に排出することができる。また、湾曲凹部１９の幅は５ｍｍ程度であり、第７の突起部２２は湾曲凹部１９の両側に設けられている。
【００２５】
次に、前記理美容鋏１の使用方法について説明する。例えばベッドに寝た人の髪を切る場合、髪を切る人の正面側に立って、顔を上にした頭部を一方の手で手前側に持ち上げるようにして支え、頭部とベッドの間に鋏１を入れる空間を確保した状態で、他方の手で鋏１を持ってカットを行う。この際、右利きであれば、図１の鋏１に対して、手の内面が正面側となるように、指孔部３に後側から指を入れて鋏１を保持し、櫛部材１１により髪をすきながら起こすことができ、これにより刃体４，４の間に髪の先端側が案内され、髪を所望の長さに切ることができる。尚、親指は、動刃を有する鋏部材２の指孔部３に挿入する。また、刃体４，４を開閉する際、動刃である鋏部材２が動くことにより、カットと同時に髪をすきながら起こすことができる。また、頭部に取付体１２の先端縁部１８を添わせることにより、鋏１と頭部との間隔を略一定にして髪を切ることができる。この場合、先端縁部１８には頭部の形状に略倣って湾曲凹部１９が形成されているため、頭部に先端縁部１８をスムーズに添わせることができると共に、頭部に沿っての移動も容易となり、片方の手で鋏１を持って髪を切ることができる。尚、鋏１を頭部の下から上に移動することにより、髪が櫛部材１１により起こされる。また、先端縁部１８を頭部に沿わせることにより、突起部２２は頭部と略並行になる。この場合、取付体１２を頭部に対して略直交させて使用する。
【００２６】
また、鋏１から櫛部材１１を取り外すことができるから、鋏１と櫛部材１１とを別々に洗浄することができる。
【００２７】
このように本実施例では、請求項１に対応して、一端側に指孔部３を設けると共に他端側に刃体４を設けた一対の鋏部材２，２Ａを備え、刃体４は幅方向内側に刃部５を有すると共に幅方向外側に峰部６を有し、一対の鋏部材２，２Ａを交差させると共に交差部７を枢着した理美容鋏において、峰部６に峰側係止部１５を設けると共に峰側係止部１５に着脱自在に係止する櫛側係止部たる係止溝１７を櫛部材１１に設け、櫛部材１１に複数の櫛刃部たる突起部２２を設けたから、片手で鋏１を持ち、突起部２２により髪をすくと共に起こし、一対の刃体４，４を開閉して髪を切ることができる。また、刃体４から櫛部材１１を取り外して別々で洗浄することができ、衛生的に使用できる。
【００２８】
このように本実施例では、請求項２に対応して、櫛部材１１は取付体１２を備え、取付体１２は、刃体４と交差方向に設けられと共に櫛側係止部たる係止溝１７が基端側に設けられ、取付体１２に複数の櫛刃部たる突起部２２を突設したから、取付体１２の先端縁部を頭部に沿わせることにより、頭部と刃体４との間隔を略一定に保持することができ、取付体１２の突出した複数の突起部２２により髪をすいたり起こしたりすることができる。
【００２９】
このように本実施例では、請求項３に対応して、取付体１２の先端縁部１８は、長さ方向中央側が凹んだ湾曲状に形成されているから、頭部に先端縁部１８をスムーズに添わせることができると共に、頭部に沿っての移動も容易となる。
【００３０】
実施例上の効果として、取付体１２に透孔２３，２３Ａを穿設したから、カットした髪が透孔２３，２３Ａを通って落下するため、取付体１２の上面にカットした髪が溜まることを防止できる。また、取付体１２の幅又は／及び突起部２２の高さの異なる複数の櫛部材１１・・・を、予め用意し、髪の長さなどの仕上がりに応じた櫛部材１１を選択することにより、一層、髪のカットが容易となる。さらに、取付体１２にはその長さ方向に櫛刃部たる突起部２２を複数並んで設けると共に、その幅方向に櫛刃部たる突起部２２を複数並んで設けたから、髪を効率よくすいたり立ち上げたりすることができる。また、着脱構造１３は、櫛部材１１を刃体４の長さ方向にスライドして刃体４に着脱するから、着脱作業が容易であると共に、取付体基端部１６の略全長に係止溝１７が設けられているため、櫛部材１１の安定した取付状態を得ることができる。また、櫛部材１１を設けた刃体４が動刃であるから、動刃である刃体４が閉まる方向に動く際、髪をすいたり起こしたりすることができる。
【実施例２】
【００３１】
図６は、本発明の実施例２を示し、上記実施例１と同一部分に同一符号を付し、その詳細な説明を省略して詳述する。この例は着脱構造１３の変形例を示し、同図に示すように、前記峰部６には、前記刃体４の内外面（厚さ方向）に同一形状の抜け止め突起１４，１４を設けて峰側係止部１５Ａを構成している。また、峰部６も内外面において対称な形状をなし、内外面に抜け止め突起１４，１４を設けた峰側係止部１５Ａが係入する係止溝１７Ａを、前記取付体１２の取付体基端部１６に設けている。
【００３２】
従って、図６に示すように、櫛部材１１を刃体４の外面４Ｇ側に取り付けることにより、左利き用として用いることができ、また、実施例１と同様に櫛部材１１を刃体４の内面４Ｎ側に取り付けることより、右利き用として使用することができる。
【００３３】
このように本実施例では、上記実施例１と同様な作用・効果を奏し、また、この例では、櫛部材１１の向きを変えて取り付けることにより、右利きと左利きの両者が使用することができる。
【実施例３】
【００３４】
図７は、本発明の実施例３を示し、上記各実施例と同一部分に同一符号を付し、その詳細な説明を省略して詳述する。この例の櫛部材１１は実施例１に比べて取付体１２の最大幅が狭く、第１〜第４の突起部２２・・・が取付体１２の幅方向に間隔を置いて取付体１２の上面に突設され、第１〜第４の突起部２２・・・は取付体１２の基端側から先端側に向かって次第に高くなるように形成されている。尚、第１の突起部２２の先端は刃部５より高く、第１〜４の突起部２２・・・の順で次第に高くなり、第１実施例と同様に基端側である第１の突起部２２に比べて先端側である第４の突起部２２が高い。
【００３５】
このように本実施例では、上記各実施例と同様な作用・効果を奏し、また、この例のように実施例１より幅の狭い櫛部材１１を用意し、選択して使用することができる。
【実施例４】
【００３６】
図８及び図９は、本発明の実施例４を示し、上記各実施例と同一部分に同一符号を付し、その詳細な説明を省略して詳述する。この例の櫛部材１１Ａは、断面略円形をなす前記取付体基端部１６にカール状の櫛刃部３１を立設し、この櫛刃部３１は略半円の円弧状をなし、櫛刃部３１の中央側に刃体４から一番離れた部分があり、この部分の外面が位置決め部３２である。また、櫛刃部３１の先端部３３は、刃部５の開閉方向の延長線上に近接した位置にあり、且つ刃体４の内面４Ｎからは離れており、先端部３３は、開閉時に鋏部材２の刃体４に当たらない位置にある。また、この例では、取付体１２は取付体基端部１６からなる。
【００３７】
従って、櫛刃部３１の湾曲した外面である位置決め部３２を頭部に当てることにより、櫛刃部３１がスペーサとなって頭部と一定の間隔で鋏１を保持することができる。
【００３８】
このように本実施例では、上記各実施例と同様な作用・効果を奏し、また、この例では、櫛刃部３１が髪をすくと共に立ち上げ、この際、頭部と鋏１との間隔を保持するスペーサとして機能する。
【実施例５】
【００３９】
図１０は、本発明の実施例５を示し、上記各実施例と同一部分に同一符号を付し、その詳細な説明を省略して詳述する。この例の櫛部材１１Ａは、実施例４の櫛刃部３１に比べて細い櫛刃部３１Ａを備えている。
【００４０】
このように本実施例では、上記各実施例と同様な作用・効果を奏し、また、この例では、櫛部材１１Ａを合成樹脂製とした場合、櫛刃部３１Ａが細いから櫛刃部３１Ａは弾力性を備えたものとなる。
【実施例６】
【００４１】
図１１は、本発明の実施例６を示し、上記各実施例と同一部分に同一符号を付し、その詳細な説明を省略して詳述する。この例の櫛部材１１Ｂは、前記取付体基端部１６に複数のカール状の櫛刃部４１を立設し、この櫛刃部４１は９０度より小さい円弧状をなし、先端部４２が刃体４から一番離れており、先端部４２により位置決め部を構成している。
【００４２】
このように本実施例では、上記各実施例と同様な作用・効果を奏し、また、この例では、先端部４２側を頭部に当てることにより、櫛刃部４１が髪をすくと共に立ち上げ、この際、スペーサとなって頭部と一定の間隔で鋏１を保持することができる。
【実施例７】
【００４３】
図１２は、本発明の実施例７を示し、上記各実施例と同一部分に同一符号を付し、その詳細な説明を省略して詳述する。この例の櫛部材１１Ｂは、実施例６の櫛刃部４１に比べて細い櫛刃部４１Ａを備えている。
【００４４】
このように本実施例では、上記各実施例と同様な作用・効果を奏し、また、この例では、櫛部材１１Ｂを合成樹脂製とした場合、櫛刃部４１Ａが細いから、櫛刃部４１Ａは弾力性を備えたものとなる。
【実施例８】
【００４５】
図１３及び図１４は、本発明の実施例８を示し、上記各実施例と同一部分に同一符号を付し、その詳細な説明を省略して詳述する。この例の櫛部材１１Ａは、第４実施例の櫛刃部３１が間隔を置いて配置され、前記取付体基端部１６には、幅の狭い本体１２Ａを設け、この本体１２Ａに、櫛刃部たる突起部５１を突設し、突起部５１は長さ方向に並んで複数設けられている。この突起部５１の先端は刃部５より高く形成され、また、突起部５１・・・同士は近接して配置されている。そして、隣り合う突起部５１・・・の間隔は、隣り合う櫛刃部３１・・・の間隔より狭い。
【００４６】
従って、櫛刃部３１の湾曲した中央部の外面を頭部に当てることにより、櫛刃部３１がスペーサとなって頭部と一定の間隔で鋏１を保持することができ、一方、櫛刃部３１の間の髪の毛を、突起部５１・・・により、すいたり起こしたりして鋏１でカットすることができる。
【００４７】
このように本実施例では、上記各実施例と同様な作用・効果を奏し、また、この例では、刃体４に近い位置にある櫛刃部たる突起部５１により、髪をすいたり起こしたりして刃体４，４の間に髪の先端側を案内することができる。さらに、櫛部材１１には、その長さ方向に櫛刃部３１及び櫛刃部たる突起部５１を複数並んで設けると共に、その幅方向に櫛刃部３１と突起部５１の２つ（複数）が並んで設けられているから、髪を効率よくすいたり立ち上げたりすることができる。
【実施例９】
【００４８】
図１５は、本発明の実施例８を示し、上記各実施例と同一部分に同一符号を付し、その詳細な説明を省略して詳述する。この例では静刃である鋏部材２Ａの刃体４に櫛部材１１を着脱自在に設け、取付体１２は鋏部材２Ａの刃体４と交差方向で刃体４の内面４Ｎ側から突設されている。尚、静刃のみに、実施例２〜７の上記各櫛部材１１Ａ，１１Ｂを着脱自在に設けることができる。
【００４９】
このように本実施例では、上記各実施例と同様な作用・効果を奏し、また、この例では、櫛部材１１を設けた刃体４が静刃であるから、刃体４，４の開閉により、櫛部材１１が動くことがない。
【００５０】
尚、本発明は、本実施例に限定されるものではなく、本発明の要旨の範囲内で種々の変形実施が可能である。例えば、櫛刃部の形状，大きさや配置は適宜選定可能である。また、着脱構造において、刃体の峰部側の内外面に凹部を設け、この凹部に係止する係止部を係止溝に設けてもよい。さらに、取付体が、刃体と交差方向で刃体の内面側から突設するように、刃体に櫛部材を取り付けるようにしてもよく、静刃と動刃のどちらか一方で、その刃体の内面側又は外面側に櫛部材を設けることができる。あるいは静刃と動刃の両方に櫛部材を取り付けるようにしてもよい。
【符号の説明】
【００５１】
１  理美容鋏
２  鋏部材（動刃）
２Ａ  鋏部材（静刃）
３  指孔部
４  刃体
５  刃部
６  峰部
７  交差部
１１，１１Ａ  櫛部材
１２  取付体
１５，１５Ａ  峰側係止部
１７，１７Ａ  係止溝
１８  先端縁部
１９  湾曲凹部
２２  突起部（櫛刃部）
２３  透孔
２３Ａ  透孔
３１，３１Ａ  櫛刃部
４１，４１Ａ  櫛刃部
４１Ａ  櫛刃部
５１  突起部（櫛刃部）
【図１】
2017080233.tif 000003
【図２】
2017080233.tif 000004
【図３】
2017080233.tif 000005
【図４】
2017080233.tif 000006
【図５】
2017080233.tif 000007
【図６】
2017080233.tif 000008
【図７】
2017080233.tif 000009
【図８】
2017080233.tif 000010
【図９】
2017080233.tif 000011
【図１０】
2017080233.tif 000012
【図１１】
2017080233.tif 000013
【図１２】
2017080233.tif 000014
【図１３】
2017080233.tif 000015
【図１４】
2017080233.tif 000016
【図１５】
2017080233.tif 000017